(57)【要約】  【課題】  コストを抑えながら色ずれのない混色表示を行なえるようにする。  【解決手段】  温度調節器１の液晶表示部２において、バックライトとしての発光色の異なる２種類のＬＥＤチップを全点灯させて混色表示を行ない、それを表示検査装置１６のカラーカメラ１８で撮像して前記混色表示の波長を検出し、基準となる混色表示からの波長のずれ（色ずれ）を補正する補正値を求め、この補正値を温度調節器１に送信し、温度調節器１は、受信した補正値を記憶部に格納し、以後、温度調節器１は、補正値に基づいて、前記２種類のＬＥＤチップの駆動デューティを制御して前記波長のずれを補正した混色表示を行なう。【選択図】        図４
2005077892.tif 000002
【特許請求の範囲】
【請求項１】
発光色の異なる複数種類の発光素子を備え、各種類の発光素子による単色表示および複数種類の発光素子による混色表示を行なう電子機器であって、
前記複数種類の発光素子による混色表示と基準となる混色表示との色ずれに応じた補正値が格納される記憶部と、
前記記憶部に格納された前記補正値に基づいて、前記複数種類の発光素子の駆動デューティを制御して前記色ずれを補正した混色表示を行なう駆動制御部と、
を備えることを特徴とする電子機器。
【請求項２】
発光色の異なる複数種類の発光素子からなるバックライトと液晶パネルとを有する液晶表示部を備え、各種類の前記発光素子による単色表示および複数種類の前記発光素子による混色表示を行なう温度調節器であって、
前記複数種類の発光素子による混色表示と基準となる混色表示との色ずれに応じた補正値が格納される記憶部と、
前記記憶部に格納された前記補正値に基づいて、前記複数種類の発光素子の駆動デューティを制御して前記色ずれを補正した混色表示を行なう駆動制御部と、
を備えることを特徴とする温度調節器。
【請求項３】
前記発光素子は、ＬＥＤであり、前記単色表示および前記混色表示おける前記ＬＥＤを、定電流駆動する定電流回路を備える請求項２記載の温度調節器。
【請求項４】
前記液晶表示部は、現在値および設定値の少なくともいずれか一方を表示する請求項２または３記載の温度調節器。
【請求項５】
前記駆動デューティを制御して、前記異なる発光色の一方の発光色から他方の発光色までの波長範囲で多段階の混色表示を行なう請求項４記載の温度調節器。
【請求項６】
電子機器の表示部を撮像する撮像手段と、この撮像手段の出力を処理して前記表示部の表示色の波長を検出する処理手段とを備えることを特徴とする表示検査装置。
【請求項７】
前記表示部は、発光色の異なる複数種類の発光素子による混色表示を行なうものであり、
前記撮像手段は、カラーカメラであり、
前記処理手段は、前記カラーカメラの出力信号に基づいて、前記表示部の前記混色表示の波長を検出し、基準となる混色表示の波長からの波長のずれに応じた補正値を求める請求項６記載の表示検査装置。
【請求項８】
前記電子機器と通信する通信部を備え、前記補正値を、前記電子機器に送信する請求項７記載の表示検査装置。
【請求項９】
発光色の異なる複数種類の発光素子による混色表示を行なう表示部と、補正値が格納される記憶部と、前記記憶部に格納されている前記補正値に基づいて、前記発光素子の駆動デューティを制御する駆動制御部とを有する電子機器の混色表示を補正する表示補正方法であって、
前記駆動デューティが制御されていない全点灯状態における前記混色表示を撮像して基準となる混色表示からの波長のずれを検出する第１のステップと、
検出した波長のずれに応じた前記補正値を求める第２のステップと、
求めた補正値を、前記電子機器の前記記憶部に格納する第３のステップとを備えることを特徴とする表示補正方法。
【発明の詳細な説明】
【技術分野】
【０００１】
本発明は、表示部を備える各種の電子機器、計測温度などの表示を行なう温度調節器、表示を検査する表示検査装置および表示を補正するための表示補正方法に関する。
【背景技術】
【０００２】
表示部を備える電子機器には、現在値を数値表示する現在値表示部のバックライトの色を、現在値と設定値との偏差に応じて変化させるようにしたものがある（例えば、特許文献１参照）。この電子機器では、前記偏差が設定範囲内であれば、例えば、バックライトの色を緑色にし、設定範囲外では、赤色にしている。
【特許文献１】特開平５−１１７１２号公報
【発明の開示】
【発明が解決しようとする課題】
【０００３】
このようなバックライトとして、ＬＥＤチップなどの発光素子を使用する場合には、上述の電子機器の例では、緑色と赤色の２種類のＬＥＤチップが必要となる。
【０００４】
表示の視認性を高めたり、表示の用途を広げるには、表示色の数を増やすことが好ましいが、単にＬＥＤチップを追加して表示色を増やしたのでは、コストが増加することになる。
【０００５】
そこで、例えば、上述の緑色のＬＥＤチップと赤色のＬＥＤチップとを備える場合には、両ＬＥＤチップを同時に発光駆動して橙色の混色表示を行なうことによって、緑色、赤色および橙色の３色の表示を可能にすることが考えられる。
【０００６】
しかしながら、ＬＥＤチップは、製造ロットなどによる輝度のばらつきが大きく、例えば、赤色のＬＥＤチップの輝度が高く、緑色のＬＥＤチップの輝度が低いときには、混色表示を行なうと、赤みがかかった橙色となり、逆に、赤色のＬＥＤチップの輝度が低く、緑色のＬＥＤチップの輝度が高いときには、黄みがかった橙色となってしまう。
【０００７】
特に、計測温度などを表示する温度調節器のような電子機器では、その複数台が並設されて使用されるために、複数台の温度調節器間における表示色のばらつきは、無視できないものである。
【０００８】
輝度のばらつきのない選別処理されたＬＥＤチップを使用することも考えられるが、かかるＬＥＤチップは、高価である。
【０００９】
本発明は、このような実情に鑑みてなされたものであって、コストの増加を抑えながら、表示のばらつきを低減できる電子機器、温度調節器、表示のばらつきを検査する表示検査装置、表示のばらつきを補正するための表示補正方法を提供することを目的としている。
【課題を解決するための手段】
【００１０】
本発明では、上記目的を達成するために、次のように構成している。
【００１１】
すなわち、本発明の電子機器は、発光色の異なる複数種類の発光素子を備え、各種類の発光素子による単色表示および複数種類の発光素子による混色表示を行なう電子機器であって、前記複数種類の発光素子による混色表示と基準となる混色表示との色ずれに応じた補正値が格納される記憶部と、前記記憶部に格納された前記補正値に基づいて、前記複数種類の発光素子の駆動デューティを制御して前記色ずれを補正した混色表示を行なう駆動制御部とを備えている。
【００１２】
ここで、基準となる混色表示とは、発光素子に輝度のばらつきなどがない状態の所望の混色表示をいう。
【００１３】
また、これら発光素子は、液晶パネルのバックライトとして用いるのが好ましいが、液晶パネルを備えることなく、表示用の各セグメントの光源として用いてもよい。
【００１４】
本発明によると、基準となる混色表示からの色ずれを補正するための補正値が記憶部に格納されているので、この補正値に基づいて、混色表示を行なう複数種類の発光素子の駆動デューティを制御することにより、色ずれのない混色表示が行なわれることになる。
【００１５】
本発明の温度調節器は、発光色の異なる複数種類の発光素子からなるバックライトと液晶パネルとを有する液晶表示部を備え、各種類の前記発光素子による単色表示および複数種類の前記発光素子による混色表示を行なう温度調節器であって、前記複数種類の発光素子による混色表示と基準となる混色表示との色ずれに応じた補正値が格納される記憶部と、前記記憶部に格納された前記補正値に基づいて、前記複数種類の発光素子の駆動デューティを制御して前記色ずれを補正した混色表示を行なう駆動制御部とを備えている。
【００１６】
本発明によると、基準となる混色表示からの色ずれを補正するための補正値が記憶部に格納されているので、この補正値に基づいて、混色表示を行なう複数種類の発光素子の駆動デューティを制御することにより、色ずれのない混色表示が行なわれることになる。
【００１７】
本発明の一実施態様においては、前記発光素子は、ＬＥＤであり、前記単色表示および前記混色表示おける前記ＬＥＤを、定電流駆動する定電流回路を備えている。
【００１８】
この実施態様によると、単色表示および混色表示のいずれの場合も定電流で駆動するので、単色表示の場合と混色表示の場合とで輝度が大きく変化することがない。また、ＬＥＤの輝度が製造ロットなどによってばらついても色ずれのない混色表示が行なえる。
【００１９】
本発明の好ましい実施態様においては、前記液晶表示部は、現在値および設定値の少なくともいずれか一方を表示するものである。
【００２０】
この実施態様によれば、例えば、発光色の異なる２種類の発光素子を備える場合には、現在値を、単色の２色および混色の１色の計３色で表示できることになり、計測温度を、例えば、低温域、適温域および高温域に対応させて異なる色で表示できることになる。
【００２１】
本発明の好ましい実施態様においては、前記駆動デューティを制御して、前記異なる発光色の一方の発光色から他方の発光色までの波長範囲で多段階の混色表示を行なうものである。ここで、多段階とは、少なくとも４段偕以上をいう。
【００２２】
この実施態様によると、駆動デューティを制御して、例えば、緑色から赤色までの波長範囲で、多段階で混色表示するので、例えば、計測される温度を、その高低に応じた色で多段階に表示できることになる。
【００２３】
本発明の表示検査装置は、電子機器の表示部を撮像する撮像手段と、この撮像手段の出力を処理して前記表示部の表示色の波長を検出する処理手段とを備えている。
【００２４】
本発明によると、電子機器の表示部の表示色の波長を検出するので、基準となる表示色との波長のずれを把握できることになり、これに基づいて、この波長のずれ、すなわち、色ずれを補正するための補正値を、電子機器に設定するといったことが可能になる。
【００２５】
ここで、検出した波長のずれに基づいて、その色ずれを補正するための補正値は、当該表示検査装置側で求めるのが好ましいが、電子機器側に、検出した波長ずれを与えて電子機器側で補正値を求めるようにしてもよい。
【００２６】
本発明の好ましい実施態様においては、前記表示部は、発光色の異なる複数種類の発光素子による混色表示を行なうものであり、前記撮像手段は、カラーカメラであり、前記処理手段は、前記カラーカメラの出力信号に基づいて、前記表示部の前記混色表示の波長を検出し、基準となる混色表示の波長からの波長のずれに応じた補正値を求めるものである。
【００２７】
この実施態様によると、電子機器の表示部の混色表示の波長を検出し、基準となる混色表示の波長との波長のずれに応じた補正値を求めるので、この補正値を、電子機器に設定することにより、電子機器では、この補正値に基づいて、色ずれを補正するといったことが可能となる。
【００２８】
ここで、補正値は、次のようにして求めるのが好ましい。すなわち、予め混色表示の波長範囲を複数に区分するとともに、各区分毎に色ずれ（波長のずれ）を補正する補正値を求めてテーブルを作成しておき、検出した混色表示の波長が含まれる波長範囲に対応する補正値をテーブルから読み出すのである。
【００２９】
本発明の一実施態様においては、前記電子機器と通信する通信部を備え、前記補正値を、前記電子機器に送信するものである。
【００３０】
本発明によると、色ずれを補正するための補正値が、通信によって電子機器に伝送されることになり、電子機器の表示を検査すると同時に、表示の補正のための補正値が電子機器に設定されることになる。
【００３１】
本発明の表示補正方法は、発光色の異なる複数種類の発光素子による混色表示を行なう表示部と、補正値が格納される記憶部と、前記記憶部に格納されている前記補正値に基づいて、前記発光素子の駆動デューティを制御する駆動制御部とを有する電子機器の混色表示を補正する表示補正方法であって、前記駆動デューティが制御されていない全点灯状態における前記混色表示を撮像して基準となる混色表示からの波長のずれを検出する第１のステップと、検出した波長のずれに応じた前記補正値を求める第２のステップと、求めた補正値を、前記電子機器の前記記憶部に格納する第３のステップとを備えている。
【００３２】
本発明によると、混色表示を撮像して基準となる混色表示からの波長のずれを検出し、検出した波長のずれを補正する補正値を求め、この補正値を電子機器の記憶部に格納するので、電子機器は、この格納された補正値に基づいて、複数種類の発光素子の駆動デューティを制御して波長のずれ、すなわち、色ずれが補正された混色表示を行なうことができる。
【発明の効果】
【００３３】
以上のように本発明によれば、予め基準となる混色表示からの色ずれを補正する補正値を求め、この補正値に基づいて、発光素子の駆動デューティを制御して色ずれを補正した混色表示を行なうので、発光素子の輝度のばらつきがあっても、色ずれのない混色表示が行なえることになる。これによって、コストを抑えつつ、単色表示に加えて、色ずれのない混色表示を行なうことが可能となる。
【発明を実施するための最良の形態】
【００３４】
以下、図面によって本発明の実施の形態について詳細に説明する。
【００３５】
図１は、本発明の一つの実施の形態に係る温度調節器の正面図である。この実施の形態では、電子機器として、温度調節器に適用して説明する。
【００３６】
この温度調節器１は、その正面に矩形の液晶表示部２を備えるとともに、この液晶表示部２の下方に、モードキーやアップキーなどの複数の操作キー３を備えている。
【００３７】
矩形の液晶表示部２は、現在温度や設定データの種別などを表示する第１表示部２ａと、設定データの設定値などを表示する第２表示部２ｂと、警報出力や制御出力などの動作状態を表示する動作表示部２ｃとを備えている。
【００３８】
この実施の形態では、第２表示部２ｂおよび動作表示部２ｃは、従来と同様の単色表示を行なうのに対して、第１表示部２ａは、赤色、緑色および橙色の３色の表示を行なうものである。
【００３９】
この第１表示部２ａは、図２の概略断面図に示されるように、リフレクタ４によって区画された矩形の領域に、４つの表示桁に対応するように、バックライトを構成する赤色の第１のＬＥＤチップ５と緑色の第２のＬＥＤチップ６との対が、基板７上に４つ実装されており、これらＬＥＤチップ５，６の上方には、拡散シート８およびネガタイプの液晶パネル（ＬＣＤ）９が配置され、ケースの一部である透明の保護カバー１０で覆われて構成されている。
【００４０】
この第1表示部２ａでは、第１のＬＥＤチップ５のみによる赤色の単色表示、第２のＬＥＤチップ６のみによる緑色の単色表示および第１，第２のＬＥＤチップ５，６の同時点灯による橙色の混色表示を行なうものである。したがって、第１表示部２ａでは、例えば現在温度を示す数値を、赤色、緑色または橙色で表示することができる。
【００４１】
なお、第２表示部２ｂおよび前記動作表示部２ｃは、単色表示用の１種類のＬＥＤチップを備えて単色のみの表示を行なう以外は、第１表示部２ａと基本的に同様である。
【００４２】
図３は、この温度調節器１の構成を示すブロック図である。
【００４３】
この実施の形態の温度調節器１は、図示しない温度センサからの入力が与えられる入力部１１と、上述の操作キー３などによって構成される設定部１２と、液晶パネル１０およびＬＥＤチップ５，６などを備える上述の液晶表示部２と、現在温度および設定温度に基づいて、制御出力を出力部１３に与えるとともに、各部を制御するマイクロコンピュータ１４と、後述の補正値が格納される記憶部１７と、表示検査装置などと通信を行なうための通信部１５とを備えている。
【００４４】
上述のように、ＬＥＤチップは、製造ロットなどによってその輝度がばらつき、このため、第１表示部２ａにおいて、赤色の第１のＬＥＤチップ５と緑色の第２のＬＥＤチップ６とによって、橙色の混色表示を行なった場合には、赤みがかかった橙色となったり、あるいは、黄みがかった橙色となってしまう場合があるという難点がある。
【００４５】
このため、この実施の形態では、かかる表示色のばらつきを、次のようにして補正するようにしている。
【００４６】
すなわち、この実施の形態の表示補正方法では、図４に示されるように、上述の温度調節器１の第１表示部２ａの混色表示の色ずれを、表示検査装置１６によって検査するとともに、その色ずれを補正するための補正値を求め、この補正値を、温度調節器１に送信する。温度調節器１では、この補正値を記憶部１７に格納し、以後、この補正値に基づいて、第１表示部２ａの第１，第２のＬＥＤチップ５，６の駆動デューティを制御して混色表示を行なうものである。
【００４７】
混色表示は、第１，第２のＬＥＤチップ５，６を共に発光させて行なうのであるが、この実施の形態では、色ずれがある場合には、その色ずれを補正するように、第１，第２のＬＥＤチップ５，６の駆動デューティを制御するものである。
【００４８】
このため、色ずれを検出して補正値を求める表示検査装置１６は、温度調節器１の第１表示部２ａを撮像するカラーカメラ１８と、このカラーカメラ１８からの画像信号に基づいて、第１表示部２ａの混色表示の波長を検出し、予め定められている基準となる橙色の波長からの波長ずれを補正するための補正値を求めて温度調節器１に伝送する処理手段としてのパソコン１９とを備えている。
【００４９】
このパソコン１９は、ＰＣＩスロットを使用した画像処理ボードを有しており、カラーカメラ１８からの画像信号を処理して赤、緑、青のそれぞれの輝度を抽出し、赤と緑との割合を算出してその波長を検出し、図５に示される５６５ｎｍの緑色から基準となる橙色を中心とした６３０ｎｍの赤色までの波長範囲を、予め複数に分割した波長範囲…Ｂ４，Ｂ３，Ｂ２，Ｂ１，Ｃ，Ａ１，Ａ２，Ａ３，Ａ４…のいずれの波長範囲にあるかを検出する。
【００５０】
パソコン１９には、予め各波長範囲毎に、基準となる橙色の波長範囲Ｃに補正するための補正値が、テーブルとして格納されており、検出した波長範囲に対応する補正値を選択して温度調節器１の送信するものである。この補正値は、温度調節器１の第１，第２のＬＥＤチップ５，６の駆動デューティに対応したものである。
【００５１】
図６は、この補正値および各ＬＥＤチップ５，６の駆動デューティを示し、図７は、対応する混色表示の色合い（波長）を示す図である。図６（ａ）〜（ｉ）が、図７（ａ）〜（ｉ）にそれぞれ対応している。なお、図７では、混色表示の波長を、▽で示している。
【００５２】
これらの図においては、赤色の第１のＬＥＤチップ５および緑色の第２のＬＥＤチップ６に輝度のばらつきがなく、基準となる橙色の混色表示が行なわれる場合において、各補正値に応じた駆動デューティで制御したときの色合いの変化を示している。なお、図６においては、後述のタイミングカウンタの値を併せて示している。
【００５３】
各図（ａ）は補正値「０」であって、駆動デューティを制御していない全点灯の状態であって、第１，第２のＬＥＤチップ５，６が共に発光して基準となる橙色の混色表示が行なわれている状態を示している。
【００５４】
各図（ｂ）は補正値「１」であって、第１のＬＥＤチップ５のデューティ比を、８７．５％（７／８×１００）に制御したものであり、混色表示の波長が、中心の橙色の波長から緑色側に１段階シフトし、各図（ｃ）は補正値「２」であって、第１のＬＥＤチップ５のデューティ比を、７５％に制御したものであり、混色表示の波長が、中心の橙色の波長から緑色側に２段階シフトし、各図（ｄ）は補正値「３」であって、第１のＬＥＤチップ５のデューティ比を、６２．５％に制御したものであり、混色表示の波長が、中心の橙色の波長から緑色側に３段階シフトし、各図（ｅ）は補正値「４」であって、第１のＬＥＤチップ５のデューティ比を、５０％に制御したものであり、混色表示の波長が、中心の橙色の波長から緑色側に４段階シフトする。
【００５５】
また、各図（ｆ）は補正値「５」であって、第２のＬＥＤチップ６のデューティ比を、８７．５％に制御したものであり、混色表示の波長が、中心の橙色の波長から赤色側に１段階シフトし、各図（ｇ）は補正値「６」であって、第２のＬＥＤチップ６のデューティ比を、７５％に制御したものであり、混色表示の波長が、中心の橙色の波長から赤色側に２段階シフトし、各図（ｈ）は補正値「７」であって、第２のＬＥＤチップ６のデューティ比を、６２．５％に制御したものであり、混色表示の波長が、中心の橙色の波長から赤色側に３段階シフトし、各図（ｉ）は補正値「８」であって、第２のＬＥＤチップ６のデューティ比を、５０％に制御したものであり、混色表示の波長が、中心の橙色の波長から赤色側に４段階シフトする。
【００５６】
このように、第１，第２のＬＥＤチップ５，６の駆動デューティを制御することにより、混色表示の波長をシフトさせることができ、表示検査装置１６は、温度調節器１の全点灯状態の第１表示部２ａを撮像して基準となる橙色からの波長ずれを補正する補正値を選択し、この補正値を、パソコン１９の通信ポートから温度調節器１に送信するものである。
【００５７】
温度調節器１は、この補正値を、上述の記憶部１７に格納し、以後は、第１表示部２ａにおける混色表示の駆動デューティを、この記憶部１７に格納された補正値に基づいて制御するものであり、これによって、色ずれの補正された橙色の混色表示が行なわれることになる。
【００５８】
図８は、この温度調節器１と表示検査装置１６との動作を示すフローチャートである。
【００５９】
先ず、温度調節器１は、検査モードに設定され、この検査モードでは、第１表示部２ａの第１のＬＥＤチップ５および第２のＬＥＤチップ６を、同時に発光駆動し、第１表示部２ａでは、橙色の混色表示を行なう。
【００６０】
表示検査装置１６は、温度調節器１の第１表示部２ａを、カラーカメラ１８で撮像し、パソコン１９は、その画像信号から赤、青、緑の輝度を抽出し、その内の赤と緑の割合を算出し、上述のようにいずれの波長範囲にあるかを検出するとともに、その検出された波長範囲の色を、予め定めた基準となる橙色の波長範囲にするための補正値を選択し、この選択した補正値を、ＲＳ４８５の通信ケーブルを介して温度調節器１に送信する。
【００６１】
この補正値は、検出された波長範囲の色を、図５の中心波長の橙色に補正するためのものであり、温度調節器１の第１表示部２ａの第１，第２のＬＥＤチップ５，６の駆動デューティに対応している。
【００６２】
温度調節器１は、この補正値を受信して記憶部１７に格納して検査モードを終了し、以後は、この補正値に基づいて、第１，第２のＬＥＤチップ５，６の駆動デューティを制御して橙色の混色表示を行なう。
【００６３】
図９は、以上のようにして補正値が記憶部１７に格納された温度調節器１の動作説明に供するフローチャートである。
【００６４】
この実施の形態の温度調節器１は、メインプログラムと割り込みプログラムとを有し、橙色の混色表示の処理は、割り込みプログラムによって行なわれる。
【００６５】
先ず、割り込みルーチンに入ると、タイミングカウンタの値をインクリメントし（ステップｎ１）、タイミングカウンタの値が７よりも大きいか否か、すなわち、上述の図６に示される１サイクル（１周期）になったか否かを判断し（ステップｎ２）、７よりも大きくないときには、ステップｎ４に移り、7よりも大きいときには、タイミングカウンタの値を０にリセットしてステップｎ４に移る（ステップｎ３）。
【００６６】
ステップｎ４では、橙色の混色表示であるか否かを判断し、橙色の混色表示であるときには、上述のようにして記憶部１７に格納された補正値に基づいて、第１，第２のＬＥＤチップ５，６の駆動デューティを制御する。すなわち、補正値に応じたデューティ比になるように出力パターンを決定してステップｎ６に移る。
【００６７】
具体的には、補正値毎に、０〜７の各タイミングで第１，第２のＬＥＤチップ５，６を点灯するか否かの判定を行なってＬＥＤチップ５，６の対する出力バッファに点灯「Ｈ」，非点灯「Ｌ」をセットするものである。
【００６８】
例えば、補正値が「０」であれば、タイミングカウンタの値に拘わらず、第１，第２のＬＥＤチップ５，６にそれぞれ対応する第１，第２の出力バッファに点灯に対応する「Ｈ」をそれぞれセットする。
【００６９】
また、補正値が「１」であれば、タイミングカウンタの値が、０のときに、第１のＬＥＤチップ５に対応する第１の出力バッファに非点灯に対応する「Ｌ」をセットし、それ以外は、点灯に対応する「Ｈ」をセットする。第２のＬＥＤチップ６に対応する第２の出力バッファには、点灯に対応する「Ｈ」をセットする。
【００７０】
また、例えば、補正値が「２」であれば、タイミングカウンタの値が、０および１のときに、第１のＬＥＤチップ５に対応する第１の出力バッファに非点灯に対応する「Ｌ」をセットし、それ以外は、点灯に対応する「Ｈ」をセットする。第２のＬＥＤチップ６に対応する第２の出力バッファには、点灯に対応する「Ｈ」をセットする。
【００７１】
同様にして、補正値が「３」あるいは「４」であれば、それに応じて第１，第２の出力バッファに「Ｈ」，「Ｌ」がセットされる。
【００７２】
また、補正値が「５」であれば、タイミングカウンタの値が、０のときに、第２のＬＥＤチップ６に対応する第２の出力バッファに非点灯に対応する「Ｌ」をセットし、それ以外は、点灯に対応する「Ｈ」をセットする。
【００７３】
また、例えば、補正値が「６」であれば、タイミングカウンタの値が、０および１のときに、第２のＬＥＤチップ６に対応する第２の出力バッファに非点灯に対応する「Ｌ」をセットし、それ以外は、点灯に対応する「Ｈ」をセットする。第１のＬＥＤチップ５に対応する第１の出力バッファには、点灯に対応する「Ｈ」をセットする。
【００７４】
同様にして、補正値が「７」あるいは「８」であれば、それに応じて第１，第２の出力バッファに「Ｈ」，「Ｌ」がセットされる。
【００７５】
ステップｎ６では、各出力バッファの値を、出力して第１，第２のＬＥＤチップ５，６を駆動する。
【００７６】
これによって、補正値「０」〜「８」に応じて、上述の図６（ａ）〜（ｉ）に示されるように駆動デューティが制御されて色ずれが補正された橙色の混色表示が行なわれることになる。
【００７７】
なお、ステップｎ４において、橙色の混色表示でないときには、ステップｎ６に移り、第１のＬＥＤチップ５による赤色あるいは第２のＬＥＤチップ６による緑色のいずれかの単色表示が行なわれる。
【００７８】
この実施の形態では、４個のＬＥＤチップ５または６が点灯する赤色または緑色の単色表示の場合と、８個のＬＥＤチップ５，６が点灯する橙色の混色表示の場合とで輝度が大きく変化しないように、図１０に示されるように、定電流回路２０を設け、各ＬＥＤチップ５，６を定電流駆動するようにしている。
【００７９】
すなわち、図１０において、定電流回路２０は、第１，第２のトランジスタＴＲ１，ＴＲ２および第１，第２の抵抗Ｒ１，Ｒ２を備えている。この定電流回路２０に、各４個の第１，第２のＬＥＤチップ５，６が接続されている。第１，第２のＬＥＤチップ５，６は、第１，第２の駆動トランジスタＴＲ３，ＴＲ４を介して駆動制御部としてのマイクロコンピュータ１４によって駆動制御される。なお、この実施の形態では、赤色の第１のＬＥＤチップ５は、緑色の第２のＬＥＤチップ６に比べて、明るいので、抵抗Ｒ３を並列に設けて第１のＬＥＤチップ５の輝度を抑えるようにしている。また、ＬＥＤチップ５，６のＶＦ（順電圧）がばらついてもＬＥＤチップ５，６に流れる電流を確保できるように抵抗Ｒ８，Ｒ９を設けている。
【００８０】
この実施の形態では、定電流回路２０によって、第１，第２のＬＥＤチップ５，６が共に発光する混色表示のときに、第１または第２のＬＥＤチップ５，６に流れる駆動電流を、第１，第２のＬＥＤチップ５，６のいずれかが発光する単色表示のときに、第１，第２のＬＥＤチップ５，６のいずれに流れる駆動電流の１／２としている。すなわち、混色表示のときに、第１，第２のＬＥＤチップ５，６の全体に流れる駆動電流と、単色表示のときに、第１または第２のＬＥＤチップ５または６のいずれに流れる駆動電流とを一定にしており、これによって、単色表示の場合と混色表示の場合とで表示の輝度が変化することがない。
【００８１】
以上のように、この実施の形態では、現在温度や設定データの種別などを表示する第１表示部２ａは、赤色、緑色および橙色の３色の表示が可能であり、例えば、現在温度を数値表示する場合に、予め設定した境界値に基づいて、現在温度が、適温域であれば、例えば、緑色で表示し、適温域よりも低い低温域では、例えば、橙色で表示し、適温域よりも高い高温域では、例えば、赤色で表示するようにしてもよい。
【００８２】
さらに、上述の図５の緑色から赤色までの波長範囲を、温度範囲に対応させて現在温度を、その温度に応じた色で多段階で表示するようにしてもよい。これによって、表示色から温度の高低を視覚的に認識できることになる。
【００８３】
なお、混色表示は、第１表示部２ａに限らず、第２表示部２ｂや動作表示部２ｃで行なってもよい。
【００８４】
(その他の実施の形態)
上述の実施の形態では、ネガタイプの液晶パネルに適用して説明したけれども、ポジタイプの液晶パネルに適用してもよい。
【００８５】
上述の実施の形態では、ＬＥＤチップを液晶パネルのバックライトとしたけれども、本発明の他の実施の形態として、液晶パネルを用いることなく、第１，第２のＬＥＤチップを、表示用の各セグメントの各光源として用いてもよく、各セグメント毎に、表示色を制御してもよい。
【００８６】
上述の実施の形態では、表示検査装置からの補正値が、温度調節器に自動的に設定されたけれども、本発明の他の実施の形態として、温度調節器に対して、補正値を設定操作によって入力できるようにしてもよい。
【００８７】
上述の実施の形態では、赤色と緑色との混色表示に適用したけれども、本発明は、これに限らず、赤色と青色あるいは緑色と青色の混色表示、さらには、赤色、緑色および青色の混色表示に適用してもよい。
【００８８】
本発明は、温度調節器に限らず、表示部を有する電子機器、例えば、タイマ、カウンタ、デジタルパネルメータなどにも適用できるものである。
【産業上の利用可能性】
【００８９】
本発明は、温度調節器などの電子機器の表示に有用である。
【図面の簡単な説明】
【００９０】
【図１】本発明の一つの実施の形態に係る温度調節器の正面図である。
【図２】第１表示部２ａの断面図である。
【図３】温度調節器のブロック図である。
【図４】表示補正方法を説明するための構成図である。
【図５】表示検査装置による波長の検出を説明するための図である。
【図６】駆動デューティの制御を説明するためのタイミングチャートである。
【図７】図６に対応する波長のシフトを説明するための図である。
【図８】表示補正方法の動作を説明するための図である。
【図９】温度調節器の動作説明に供するフローチャートである。
【図１０】定電流回路を示す図である。
【符号の説明】
【００９１】
１                        温度調節器
２                        液晶表示部
５，６                    第１，第２のＬＥＤチップ
９                        液晶パネル
１６                      表示検査装置
１７                      記憶部
２０                      定電流回路
【図１】
2005077892.tif 000003
【図２】
2005077892.tif 000004
【図３】
2005077892.tif 000005
【図４】
2005077892.tif 000006
【図５】
2005077892.tif 000007
【図６】
2005077892.tif 000008
【図７】
2005077892.tif 000009
【図８】
2005077892.tif 000010
【図９】
2005077892.tif 000011
【図１０】
2005077892.tif 000012